(57)【要約】 【課題】  提供場所を選ぶことなく簡単にデザインを媒体に施すことのできるデザイン提供管理方法及びデザイン提供管理プログラムを提供する。【解決手段】  利用者は、フォトクロミック化合物を溶解した専用液を爪に塗布しておく。ネイルアート提供システム２０の管理コンピュータ２１は、利用者端末１０から受信した希望デザインに基づいて、そのネイルアートの画像を転写するための照射設定をデザインデータ記憶部２３から取得する。そして、管理コンピュータ２１は、取得した照射設定に基づいて転写制御データを生成し、これを組み込んだプリント処理プログラムを利用者端末１０に送信する。利用者端末１０は、受信したこのプリント処理プログラムに従って、プリント案内機能、照射機能及び後処理機能を実現することにより、ネイルアートを行う。【選択図】      図１
2005329121.tif 000002
【特許請求の範囲】
【請求項１】
フォトクロミック化合物を付着させた媒体にデザインを印刷するための照射設定に関するデータを記録したデザインデータ記憶手段と、ネットワークを介して利用者端末に接続される管理コンピュータとを備えたデザイン提供管理システムを用いて、デザインを提供するためのデザイン提供管理方法であって、
前記管理コンピュータが、
前記利用者端末からのデータに基づいて印刷するデザインを特定する特定段階と、
前記利用者端末の表示部から照射される光を用いて前記デザインの転写を行うために、前記特定したデザインに関する照射設定を前記デザインデータ記憶手段から抽出し、この照射設定に基づいて転写制御データを生成し、前記利用者端末に送信する送信段階と
を含むことを特徴とするデザイン提供管理方法。
【請求項２】
前記デザイン提供管理システムは、利用者端末の機種の属性に関するデータを記憶した機種データ記憶手段を更に備え、
前記管理コンピュータが、転写制御データを送信する利用者端末の機種を特定する段階を更に実行し、
前記送信段階は、前記デザインデータ記憶手段から抽出した照射設定を、前記特定した機種に対応するように変換することにより前記転写制御データを生成することを特徴とする請求項１に記載のデザイン提供管理方法。
【請求項３】
前記利用者端末は、折り畳むことにより表示部に対向する対向部を備え、
管理コンピュータが、
前記利用者端末が折り畳まれた状態で、前記媒体にデザインを印刷するために、
前記表示部において前記デザインを表示する位置を特定し、
前記位置に対応する前記対向部上の位置を特定し、
この対向部上の位置に関するデータを前記利用者端末に送信する段階を更に備えることを特徴とする請求項１又は２に記載のデザイン提供管理方法。
【請求項４】
フォトクロミック化合物を付着させた媒体にデザインを印刷するための照射設定に関するデータを記録したデザインデータ記憶手段と、ネットワークを介して利用者端末に接続される管理コンピュータとを備えたデザイン提供管理システムを用いて、デザインを提供するためのデザイン提供管理プログラムであって、
前記管理コンピュータを、
前記利用者端末からのデータに基づいて印刷するデザインを特定する特定手段、及び
前記利用者端末の表示部から照射される光を用いて前記デザインの転写を行うために、前記特定したデザインに関する照射設定を前記デザインデータ記憶手段から抽出し、この照射設定に基づいて転写制御データを生成し、前記利用者端末に送信する送信手段
として機能させることを特徴とするデザイン提供管理プログラム。
【請求項５】
前記デザイン提供管理システムは、利用者端末の機種の属性に関するデータを記憶した機種データ記憶手段を更に備え、
前記管理コンピュータを、転写制御データを送信する利用者端末の機種を特定する手段として更に機能させ、
前記送信手段は、前記デザインデータ記憶手段から抽出した照射設定を、前記特定した機種に対応するように変換することにより前記転写制御データを生成することを特徴とする請求項４に記載のデザイン提供管理プログラム。
【請求項６】
前記利用者端末は、折り畳むことにより表示部に対向する対向部を備え、
管理コンピュータを、
前記利用者端末が折り畳まれた状態で、前記媒体にデザインを印刷するために、
前記表示部において前記デザインを表示する位置を特定し、
前記位置に対応する前記対向部上の位置を特定し、
この対向部上の位置に関するデータを前記利用者端末に送信する手段として更に機能させることを特徴とする請求項４又は５に記載のデザイン提供管理プログラム。
【発明の詳細な説明】
【技術分野】
【０００１】
本発明は、利用者の端末に対してデザインを印刷してアートを提供するデザイン提供管理方法及びデザイン提供管理プログラムに関する。
【背景技術】
【０００２】
今日、絵画や写真などが印刷されたシールを購入し、このシールを爪や携帯電話端末の小物などに貼り付けて、装飾やデザインを楽しむことがある。更に、ネイルアートやボディペインティングなども一般に行われるようになってきている。そのため、例えばネイルアートを簡単に実現することができる装置が開発されている（例えば、特許文献１参照。）。この装置では、所定の位置に利用者の指を固定し、その指の爪にインクを吹き付けることによりネイルアートを印刷する。
【０００３】
ところで、資源節約のために、書き換え可能なカラー印刷技術が実現されている（例えば、特許文献２参照。）。この技術においては、フォトクロミック化合物が用いられる。このフォトクロミック化合物は、紫外線照射により発色状態となり、この発色状態で特定の波長の可視光を照射すると、その波長に対応した色が消える。この結果、残った色により、所望の色を発現させることができる。また、太陽光や蛍光灯の光などには、複数の波長の光が含まれているため、このフォトクロミック化合物がこれらの光に長期間、晒されると、次第に発色が消えて、最終的には白色になる。このフォトクロミック化合物を、紙等に塗布することにより、書き換え可能なカラー印刷を行なうことができる。
【特許文献１】特開２００１−３１４２２６号公報（図１）
【特許文献２】特開２００３−３１５９５６号公報（図４）
【発明の開示】
【発明が解決しようとする課題】
【０００４】
しかしながら、特許文献１のようなネイルアートを行う装置は、吹き付けるインクを蓄積する貯蔵部や、インクを噴射するための動作部などを備えるため、比較的大きな装置になる。従って、このような装置を用いてネイルアートを行う場合には、この装置が設置されている場所に行く必要がある。このため、簡単にネイルアートを楽しむことは難しかった。
【０００５】
本発明は、上述の課題に鑑みてなされ、その目的は、提供場所を選ぶことなく簡単にデザインを媒体に施すことのできるデザイン提供管理方法及びデザイン提供管理プログラムを提供することにある。
【課題を解決するための手段】
【０００６】
請求項１又は４に記載の発明によれば、フォトクロミック化合物を付着させた媒体にデザインを印刷するための照射設定に関するデータを記録したデザインデータ記憶手段と、ネットワークを介して利用者端末に接続される管理コンピュータとを備えたデザイン提供管理システムを用いる。管理コンピュータは、利用者端末からのデータに基づいて印刷するデザインを特定する。管理コンピュータは、利用者端末の表示部から照射される光を用いてデザインの転写を行うために、特定したデザインに関する照射設定をデザインデータ記憶手段から抽出し、この照射設定に基づいて転写制御データを生成し、利用者端末に送信する。このため、利用者端末の表示部から照射される光を用いて、フォトクロミック化合物を付着させた媒体にデザインを印刷することができる。従って、利用者は、提供場所を選ぶことなく簡単にデザインを媒体に施すことができる。
【０００７】
請求項２又は５に記載の発明によれば、デザイン提供管理システムは、利用者端末の機種の属性に関するデータを記憶した機種データ記憶手段を更に備える。管理コンピュータは、転写制御データを送信する利用者端末の機種を特定する。管理コンピュータは、前記デザインデータ記憶手段から抽出した照射設定を、前記特定した機種に対応するように変換することにより前記転写制御データを生成する。このため、転写制御データに基づいて利用者端末は、機種に応じてより適した状態で照射を行うことができる。
【０００８】
請求項３又は６に記載の発明によれば、利用者端末は、折り畳むことにより表示部に対向する対向部を備える。管理コンピュータは、利用者端末が折り畳まれた状態で、媒体にデザインを印刷するために、表示部において前記デザインを表示する位置を特定し、位置に対応する対向部上の位置を特定し、この対向部上の位置に関するデータを利用者端末に送信する。このため、媒体を利用者端末に挟み込むことにより固定化されるので、より確実にデザインを転写することができる。また、利用者端末は、管理コンピュータから提供されたデザインを施す位置に関するデータを出力するので、利用者は、デザインを施す媒体と利用者端末との位置調整を効率的に行うことができる。
【発明の効果】
【０００９】
本発明によれば、利用者は、提供場所を選ぶことなく簡単にデザインを媒体に施すことができる。
【発明を実施するための最良の形態】
【００１０】
以下、本発明を具体化した一実施形態を図１〜図６に基づいて説明する。本実施形態では、図１に示す利用者端末１０を介して利用者にネイルアートを提供する。この利用者端末１０は、折り畳み可能な携帯電話端末である。
【００１１】
利用者端末１０は、表示部１１、複数のダイヤル番号ボタン１２及びセレクタボタン１３を備えている。この表示部１１には、ネイルアートの画像やこの画像を選択するための選択画面などが表示される。ダイヤル番号ボタン１２は、各種データを入力するときに用いられる。セレクタボタン１３は、ポインタ移動機能とクリック機能とを有する。すなわち、このセレクタボタン１３は、方向指示に応じてポインタを移動させることができる。また、セレクタボタン１３は、押下に応じてポインタが示している項目を選択することができる。なお、利用者端末１０を折り畳んだ場合、このダイヤル番号ボタン１２は表示部１１と対向することになり、対向部となる。更に、利用者端末１０は、スピーカ１４を備えている。このスピーカ１４は、ネイルアートの印刷開始時刻や印刷方法などの案内に関する音声を出力する。
【００１２】
更に、利用者端末１０は、図示しない制御手段（ＣＰＵ）、記憶手段（ＲＡＭ、ＲＯＭ等）、データ送受信手段等を有する。そして、利用者端末１０内の記憶手段には、アプリケーションプログラム記憶部が含まれ、後述するようにネイルアート提供システム２０から提供されたアプリケーションプログラムが格納される。そして、このアプリケーションプログラムが起動されることにより、この利用者端末１０の制御手段は、後述するデザイン提供管理方法に関する処理手順（プリント案内手段、照射手段及び後処理段階等）を実行する。これにより、利用者端末１０の制御手段は、プリント案内手段、照射手段及び後処理手段等の各手段として機能する。
【００１３】
利用者端末１０は、基地局１６及び携帯電話網Ｎを介して、デザイン提供管理システムとしてのネイルアート提供システム２０に接続される。そして、利用者端末１０は、ネイルアート提供システム２０との間でデータの送受信を行うことができる。
【００１４】
一方、ネイルアート提供システム２０は、利用者に対してネイルアートを提供するコン
ピュータシステムである。このネイルアート提供システム２０は、管理コンピュータ２１を備える。管理コンピュータ２１は、図示しないＣＰＵ、ＲＡＭ及びＲＯＭ等を有し、後述する処理（特定段階、送信段階、利用者端末の機種を特定する段階及び対向部上の位置に関するデータを利用者端末に送信する段階等を含む処理）を行う。そして、このためのデザイン提供管理プログラムを実行することにより、管理コンピュータ２１は、特定手段、送信手段、利用者端末の機種を特定する手段及び対向部上の位置に関するデータを利用者端末に送信する手段等として機能する。
【００１５】
また、管理コンピュータ２１は、利用者データ記憶部２２、デザインデータ記憶手段としてのデザインデータ記憶部２３、機種データ記憶手段としての機種変換データ記憶部２４及びプログラム生成データ記憶部２５に接続されている。
【００１６】
図２に示すように、利用者データ記憶部２２には、ネイルアート提供システム２０を利用する利用者に関する利用者データ２２０が記録されている。利用者データ２２０は、後述するように利用者登録が行われた場合に設定される。この利用者データ２２０は、利用者識別子、パスワード、利用者名、端末識別子、使用機種及び利用額に関するデータを含む。
【００１７】
利用者識別子データ領域には、利用者を特定するための識別子に関するデータが記録されている。
パスワードデータ領域には、利用者が設定したパスワードに関するデータが記録されている。このパスワードは、利用者識別子とともに、ユーザ認証を行う場合に用いられる。
【００１８】
利用者名データ領域には、この利用者の名前に関するデータが記録されている。
端末識別子データ領域には、この利用者の利用者端末１０の端末識別子に関するデータが記録されている。本実施形態では、この端末識別子として、携帯電話端末に付与された個体番号やＩＰアドレスなどが用いられる。
【００１９】
使用機種データ領域には、この利用者がネイルアートの提供を受ける場合に用いる利用者端末１０の機種を特定するためのデータが記録されている。本実施形態では、使用機種として、携帯電話端末の製品型番を用いる。
【００２０】
利用額データ領域には、ネイルアート提供の利用料金の金額に関するデータが記録される。この利用者額データは、ネイルアート提供を受けた場合や月末などにまとめて決済が行われるときに更新される。
【００２１】
図３に示すように、デザインデータ記憶部２３には、ネイルアート提供システム２０が提供するネイルアートに関するデザインデータ２３０が記録されている。デザインデータ２３０は、ネイルアートとして提供するデザインを決定したときに記録される。このデザインデータ２３０は、デザイン識別子、画像、絵柄名及び照射設定に関するデータを含む。
【００２２】
デザイン識別子データ領域には、デザインを特定するための識別子に関するデータが記録されている。
画像データ領域には、ネイルアートに用いるデザイン画像に関するデータが記録されている。
【００２３】
絵柄名データ領域には、ネイルアートとして提供するデザインの絵柄名に関するデータが記録されている。具体的には、この絵柄名には「バラの花」や「雪柄」などがある。
照射設定データ領域には、画像をネイルに印刷するために必要な照射条件の設定に関す
るデータが記録される。この照射設定データは、発光させたフォトクロミック化合物の消色を行ってデザインの画像を形成するための画像に関する設定データである。具体的には、利用者端末１０の表示部１１から照射する可視光の波長、照射量及び照射時間に関するものである。本実施形態のフォトクロミック化合物は、例えば、赤い光を照射すると青い色が消えて赤い色が発色するので、照射設定の可視光に関するデータは、画像の色データと同じになっている。
【００２４】
図４に示すように、機種変換データ記憶部２４には、利用者に提供するネイルアートの画像を、その利用者端末１０の機種に適合するように調整するために用いる機種変換データ２４０が記録されている。この機種変換データ２４０は、ネイルアートを提供することができる携帯電話端末の機種を決定した場合に記録される。この機種変換データ２４０は、機種、位置変換及び方向変換フラグに関するデータを含む。
【００２５】
機種データ領域には、機種を特定するためのデータが記憶されている。このデータを介して、機種変換データ２４０と利用者データ記憶部２２の利用者データ２２０とが関連付けられる。
【００２６】
位置変換データ領域には、画像の表示位置を調節するための位置変換用データが記録されている。本実施形態では、利用者端末１０のダイヤル番号ボタン１２の「２」に載置した指の爪（媒体に相当）にネイルアートを施すように設定されている。そこで、ネイルアート提供システム２０は、表示部１１で、画像が、ダイヤル番号ボタン１２の「２」に対応する位置に表示されるように、機種毎に位置を変換するためのデータを記録している。
【００２７】
方向変換フラグデータ領域には、画像の上下方向を変換することの必要性を示す方向変換フラグに関するデータが記録される。この方向変換フラグは、折り畳み可能な携帯電話端末の場合に記録される。方向変換フラグが記録されている場合、利用者端末１０の表示部１１において、ネイルアートの画像は上下の向きが反転されて表示される。折り畳み可能な機種においては、表示部１１の画像を閲覧する場合の上下方向と、折り畳んで画像を印刷する場合の上下方向とが異なるからである。
【００２８】
一方、プログラム生成データ記憶部２５には、利用者端末１０においてネイルアートを印刷するためのアプリケーションプログラムを生成するためのデータが記憶されている。このプログラム生成データ記憶部２５には、ネイルアートを印刷するためのプリント処理プログラムと、爪に印刷されたネイルアートを消去するための消去処理プログラムとが記録されている。
【００２９】
プリント処理プログラムが利用者端末１０において起動された場合、後述するように、プリント案内機能、照射機能及び後処理機能を実現する。各機能は、プリント処理プログラムに含まれるサブプログラムにより実現される。このプリント案内機能は、ネイルアートを印刷する爪の指の位置などに関する指示などを行う機能である。照射機能は、画像を利用者の爪に印刷するために光を照射するための機能である。この照射機能は、発色させるために必要な紫外線照射に関する前処理と、画像を所定の色に発色させる可視光照射に関する転写処理とを実行する。この転写処理は、この画像の照射条件や印刷に用いる利用者端末１０の機種により決定される転写制御データに基づいて実行される。後処理機能は、転写処理が完了したことを通知したり、印刷のやり直し（リトライ）の選択を促したりするための機能である。一方、消去処理プログラムは、印刷されたネイルアートを消去するための機能を実現する。
【００３０】
次に、ネイルアート提供システム２０を用いた処理手順について、図５及び図６に基づいて説明する。本実施形態では、利用者登録処理、ネイルアート提供処理及びネイルアー
ト消去処理の順番に説明する。
【００３１】
（利用者登録処理）
ネイルアート提供システム２０を利用する場合には、利用者登録が必要である。具体的には、利用者は、利用者端末１０を用いてネイルアート提供システム２０にアクセスする。この場合、ネイルアート提供システム２０は、利用者端末１０に対して利用者登録画面データを送信する。利用者は、利用者端末１０の表示部１１に表示された利用者登録画面を用いて、パスワードを設定し、利用者の氏名、利用者端末１０の機種、端末識別子に関するデータの入力を行う。これらの入力が完了した場合、利用者端末１０は、入力されたデータを含む利用申請をネイルアート提供システム２０に送信する。
【００３２】
ネイルアート提供システム２０の管理コンピュータ２１は、受信した利用申請に利用者識別子を付与し、利用申請に含まれる各種登録データを利用者データ２２０として利用者データ記憶部２２に記録する。そして、管理コンピュータ２１は、付与した利用者識別子を利用者端末１０に送信し、利用者登録を完了したことを通知する。
【００３３】
（ネイルアート提供処理）
ネイルアートを爪に印刷する場合、まず、ネイルアートを施す爪に専用液を予め塗布し乾燥させておく。この専用液は、例えば溶剤に、三原色を発色するフォトクロミック化合物を溶かした液体である。この専用液が塗布された領域は、紫外光を照射すると三原色が同時に発色して黒色になった後、特定の波長の光の照射により所定の色に変化する。
【００３４】
そして、利用者は、利用者端末１０をネイルアート提供システム２０にアクセスさせる（ステップＳ１−１）。このとき、利用者の利用者識別子及びパスワードに関するデータをネイルアート提供システム２０に送信する。
【００３５】
ネイルアート提供システム２０の管理コンピュータ２１は、受信したデータに基づいてユーザ認証を行う（ステップＳ１−２）。具体的には、管理コンピュータ２１は、受信した利用者識別子を含む利用者データ２２０を利用者データ記憶部２２から抽出する。次に、管理コンピュータ２１は、この利用者データ２２０のパスワードと、受信したパスワードとが一致するか否かを比較する。パスワードが一致しない場合には、管理コンピュータ２１は、その旨を利用者端末１０に送信し、処理を終了する。一方、パスワードが一致した場合には、ユーザ認証を完了する。
【００３６】
ユーザ認証を完了した管理コンピュータ２１は、利用者端末１０にデザイン選択画面データの送信を行う（ステップＳ１−３）。このデザイン選択画面は、ネイルアートの絵柄を選択するための画面である。具体的には、管理コンピュータ２１は、デザインデータ記憶部２３に記憶されているデザインデータ２３０の絵柄名をデザイン識別子とともに抽出する。そして、管理コンピュータ２１は、デザイン識別子に関連付けされた絵柄名を並べたデザイン選択画面データを生成し、利用者端末１０に送信する。
【００３７】
デザイン選択データを受信した利用者端末１０は、デザイン選択処理を行う（ステップＳ１−４）。具体的には、まず、利用者端末１０は、受信したデータに基づいて、ネイルアートの絵柄名が並んだデザイン選択画面を表示部１１に表示し、利用したいネイルアートを選択するように促す。
【００３８】
なお、このデザイン選択画面には、ネイルアートの絵柄名だけでなく、その詳細画像を表示させるためのプレビューボタンなどを含ませてもよい。具体的には、このプレビューボタンが選択されると、利用者端末１０は、選択された絵柄のデザイン識別子をネイルアート提供システム２０に送信することにより、そのネイルアートの画像データを取得して
表示部１１に表示する。そして、表示してから所定時間（例えば１０秒）経過した場合には、利用者端末１０は、再びデザイン選択画面を表示させる。
【００３９】
そして、デザイン選択画面においてネイルアートの絵柄名が選択されると、利用者端末１０は、ネイルアート提供システム２０に対して、選択された絵柄を印刷するためのプリント処理プログラムの送信要求を行う（ステップＳ１−５）。具体的には、利用者端末１０は、選択された絵柄名に対応するデザイン識別子を特定し、このデザイン識別子に基づいてプリント処理プログラムの要求を行う。
【００４０】
この要求を受信したネイルアート提供システム２０の管理コンピュータ２１は、この利用者端末１０でネイルアートの印刷を行うための転写制御データを生成する（ステップＳ１−６）。具体的には、管理コンピュータ２１は、まず、受信したデザイン識別子に関する画像データをデザインデータ記憶部２３から抽出する。更に、管理コンピュータ２１は、利用者データ２２０の使用機種のデータに基づいて、ネイルアートの印刷に用いる利用者端末１０の機種変換データ２４０を取得する。
【００４１】
そして、管理コンピュータ２１は、印刷を行う画像を左右反転させる。更に、取得した機種変換データ２４０に方向変換フラグが記録されている場合には、この画像を上下反転させる。次に、機種変換データ２４０の位置変換に関するデータに基づいて、画像の位置調整を行う。更に、印刷を行う画像のデザインデータ２３０の照射設定データを用いて、照射する可視光の波長、照射量及び照射時間を決定する。これにより、転写制御データが完成する。
【００４２】
次に、管理コンピュータ２１は、利用者端末１０に送信するプリント処理プログラムを生成する（ステップＳ１−７）。具体的には、まず、管理コンピュータ２１は、プログラム生成データ記憶部２５からプリント処理プログラムを抽出する。そして、このプリント処理プログラムにステップＳ１−６において生成した転写制御データを組み込むことに行われる。
【００４３】
そして、管理コンピュータ２１は、生成したプリント処理プログラムを利用者端末１０に送信する（ステップＳ１−８）。このとき、管理コンピュータ２１は、この利用者に対して課金処理を行う。具体的には、このプリント処理プログラムを提供する場合の料金を、この利用者の利用者データ２２０の利用額に加算する。
【００４４】
利用者端末１０は、受信したプリント処理プログラムを、アプリケーションプログラム記憶部に格納する（ステップＳ１−９）。
このプリント処理プログラムが起動されると、利用者端末１０は、まずプリント案内機能により指示処理を行う（ステップＳ１−１０）。この指示処理において、利用者端末１０は、音声案内を行う。具体的には、利用者端末１０は、画像の転写を開始するまでの時間と、ネイルアートを施す爪の指を所定の位置に載置するように指示する音声をスピーカ１４から出力させる。ここでは、「１０秒後に印刷を開始します。数字の「２」にネイルアートを施す指を載せて、画面に爪が接するように携帯電話を折り畳んで下さい。」との案内を出力する。このとき、利用者端末１０がダイヤル番号ボタン１２の点灯機能を有する場合、指を載置する「２」のダイヤル番号ボタン１２を点灯させるようにしてもよい。そして、利用者端末１０は、案内の出力後、転写開始までの１０秒を計測する。
【００４５】
図５に示すように、利用者は「２」のダイヤル番号ボタン１２に指を載せ、その指の爪が表示部１１に接するようにして利用者端末１０を折り畳む。このとき、利用者端末１０は、表示部１１に、転写する画像Ｇを表示される。この画像Ｇは、ダイヤル番号ボタン１２の「２」に載置した指の爪の位置に対応する場所に表示される。
【００４６】
そして、１０秒が経過した場合、利用者端末１０は、プリント処理プログラムの照射機能に基づいて前処理・転写処理を行う（ステップＳ１−１１）。まず、利用者端末１０は、前処理を実行する。具体的には、所定の照射量の紫外線を表示部１１から所定時間、発生させる。これにより、爪に塗布した専用液に含まれるフォトクロミック化合物の色物質がすべて発色状態になる。なお、このとき、利用者端末１０は、折り畳まれた状態であっても表示部１１のバックライトを消灯せずに紫外線を発生させる。そして、紫外線の照射時間を計測しながら、プリント処理プログラムの照射機能により設定された紫外線の照射時間が経過するまで、照射を継続する。
【００４７】
そして、紫外線の照射時間が経過すると、利用者端末１０は、プリント処理プログラムの照射機能により転写処理を実行する。ここでは、選択された画像を、利用者の爪に転写するために必要な照射量の可視光を表示部１１から出力する。これにより、爪に塗布した専用液に含まれる発色したフォトクロミック化合物の特定色が消えて、選択されたカラー画像が爪に転写される。なお、この場合も、利用者端末１０は、折り畳まれた状態であっても表示部１１のバックライトを消灯せずに、照射時間が経過するまで発光を継続する。
【００４８】
その後、可視光の照射時間が経過すると、利用者端末１０は、プリント処理プログラムの後処理機能によりプリント終了通知を行う（ステップＳ１−１２）。具体的には、利用者端末１０は、転写処理が終了した旨の音声をスピーカ１４から出力させる。これにより、図５に示すように、ダイヤル番号ボタン１２の「２」に載置させた指の爪にネイルアートＡが施される。
【００４９】
更に、プリント処理プログラムの後処理機能により、利用者端末１０は、ネイルアートをやり直すか否かの選択を利用者に促すリトライ画面を表示部１１に表示する。例えば、ネイルアートの印刷位置がずれた場合など、利用者がネイルアートのやり直しを希望する場合には、リトライ画面のリトライボタンを選択する。リトライボタンが選択された場合（ステップＳ１−１３において「ＹＥＳ」の場合）、利用者端末１０は、プリント処理プログラムのプリント案内機能、照射機能及び後処理機能により、ステップＳ１−１０〜ステップＳ１−１２を繰り返して行う。これにより、利用者は、画像の転写をやり直すことができる。
【００５０】
一方、ネイルアートの印刷を終了する場合（ステップＳ１−１３において「ＮＯ」の場合）には、利用者端末１０は、アプリケーションプログラム記憶部に格納されたプリント処理プログラムを消去する（ステップＳ１−１４）。以上により、ネイルアート提供処理を完了する。
【００５１】
（消去処理）
次に、上述のネイルアート提供処理により提供されたネイルアートを消去するための消去処理について説明する。この場合、利用者は、利用者端末１０をネイルアート提供システム２０にアクセスさせる。そして、利用者端末１０は、ネイルアートの消去依頼をネイルアート提供システム２０に送信する。この消去依頼には、利用者識別子及びパスワードに関するデータを含ませる。
【００５２】
ネイルアート提供システム２０の管理コンピュータ２１は、まず、利用者識別子及びパスワードを用いてユーザ認証を行う。ユーザ認証が完了すると、管理コンピュータ２１は、プログラム生成データ記憶部２５から消去処理プログラムを取得し、このプログラムを利用者端末１０に送信する。
【００５３】
利用者端末１０は、受信した消去処理プログラムをアプリケーションプログラム記憶部
に格納する。そして、この消去処理プログラムを起動する。このプログラムに基づいて、まず、利用者端末１０は、消去開始までの時間（例えば１０秒）と、消去するネイルアートが施された爪を画面に接する指示をスピーカ１４から出力する。そして、１０秒経過後に、利用者端末１０は、照射時間を計測しながら、消去用の可視光を所定の照射量で表示部１１から出力する。そして、照射時間が経過したとき、利用者端末１０は、その照射を終了させるとともに、消去処理が完了した旨の音声をスピーカ１４から出力する。以上により、消去処理を完了する。これにより、利用者は、指に施したネイルアートを迅速に消去することができる。
【００５４】
上述した本実施形態によれば、以下のような効果を得ることができる。
・  本実施形態では、ネイルアート提供システム２０は、利用者により選択されたネイルアートのデザインデータ２３０に基づいて、プリント処理プログラムを生成し、これを利用者端末１０に送信する。利用者端末１０は、受信したプリント処理プログラムに基づいて利用者端末１０の表示部１１から専用液を塗布した爪に光を照射する。これにより、爪にネイルアートの画像が爪に転写される。このため、利用者の利用者端末１０を用いて、場所や時間を問わずネイルアートを提供することができる。従って、利用者は、容易にネイルアートを楽しむことができる。
【００５５】
・  本実施形態では、折り畳み可能な携帯電話端末を利用者端末１０として用いた。このため、利用者端末１０に指を挟み込むことができるので、固定に近い状態で指の爪にデザインを印刷することができる。
【００５６】
・  本実施形態では、利用者端末１０は、プリント案内機能を含むプリント処理プログラムに従って指示処理を行う（ステップＳ１−１０）。この指示処理においては、ネイルアートを施す指の位置に関するデータがスピーカ１４から出力される。このため、利用者は、折り畳んだ状態でネイルアートを施す場合であっても、位置調整を効率的に行うことができる。
【００５７】
・  本実施形態では、ネイルアート提供システム２０は、利用者端末１０の機種に応じて、ネイルアートの画像の表示位置や表示方向を調整した転写用プログラムを組み込んだプリント処理プログラムを利用者端末１０に送信する。利用者端末１０の機種によって表示部１１の大きさや方向などがある。このため、ネイルアート提供システム２０は、利用者端末１０の機種に応じて適切な条件で、ネイルアートを提供することができる。
【００５８】
・  本実施形態では、ネイルアート提供システム２０は、利用者端末１０に格納させるプリント処理プログラムデータを送信する。利用者端末１０は、格納されたプリント処理プログラムに基づいて処理を行う。そして、ネイルアートをやり直す場合（ステップＳ１−１３において「ＹＥＳ」の場合）には、再度、転写を行う。このため、利用者は、ネイルアートのやり直しを容易に行うことができる。また、画像がずれて失敗した場合には、その失敗に基づいて指の位置を調整してネイルアートをやり直すこともできる。
【００５９】
・  本実施形態では、ネイルアート提供システム２０の管理コンピュータ２１は、提供するアートのプログラムを利用者端末１０に送信する（ステップＳ１−８）ときに、課金を行う。そして、利用者端末１０は、プリント処理プログラムに従った処理が完了後、リトライの指示がなかった場合（ステップＳ１−１３において「ＮＯ」の場合）、利用者端末１０はプリント処理プログラムを消去する。（ステップＳ１−１４）。このため、ネイルアート提供システム２０は、ネイルアートの提供に従って課金を行うことができる。
【００６０】
・  本実施形態では、利用者端末１０は、ネイルアート提供システム２０から消去用プログラムを受信し、このプログラムに基づいて消去処理を行う。これにより、利用者は、
指に施したネイルアートを迅速に消去することができる。
【００６１】
また、上記実施形態は以下のように変更してもよい。
○  上記実施形態においては、ネイルアートは、１つの爪に対して行うようにした。これに限らず、複数の指の爪にネイルアートを行ってもよい。この場合、ネイルアート提供システム２０は、利用者端末１０の表示部１１に、連続するような柄を表示させてもよい。そして、ネイルアートを施す爪を、表示部１１に対して並べるように配置させることにより、複数の指の爪にネイルアートを同時に施すこともできる。
【００６２】
○  上記実施形態においては、ネイルアートを施す爪の全面に専用液を塗布した。これに代えて、爪の一部に専用液を塗布してもよい。この場合には、専用液で爪に画像を描いた後、爪に所定の波長の光を照射することにより、その画像の色を容易に変更することもできる。
【００６３】
○  上記実施形態においては、ネイルアート提供システム２０は、ネイルアートを施す利用者の爪に関するデータを取得し、これに応じて転写用プログラムを生成してもよい。具体的には、利用者登録を行ったときに、ネイルアート提供システム２０は、ネイルアートの提供を受ける予定があるすべての爪に対して、爪の大きさを測定するテストパターン図を送信する。そして、ネイルアート提供システム２０は、テストパターン図に応じて、利用者の爪の大きさを特定し、これを利用者データ２２０に記憶する。これにより、利用者毎に、その爪の大きさに合わせたネイルアートを提供することができる。
【００６４】
○  上記実施形態では、利用者端末１０として、折り畳み可能な携帯電話端末を用いたが、これに限られるものはない。例えば、折り畳むことのできない携帯電話端末を用いてもよいし、パーソナルコンピュータなどを用いてもよい。すなわち、利用者端末１０は、紫外線や所定の波長の可視光を照射することのできる表示部を備え、ネイルアート提供システム２０と送受信できる端末であればよい。
【００６５】
○  上記実施形態においては、ネイルアートを手の指に施した。これに限らず、足の爪の指などに施してもよい。従来の装置とは異なり、フォトクロミック化合物を塗布した部位に対して、光を照射できれば、足の爪等にもネイルアートを行うことができる。特に、可視光の照射できる携帯電話端末を用いる場合、表示部１１の位置や方向を任意にできるので、容易にネイルアートを行うことができる。
【００６６】
○  上記実施形態においては、ネイルアートのデザインを提供した。これに限らず、例えば、ボディペインティングやフェイスペインティングのデザインを提供してもよい。具体的には、デザインを施したい体や顔の部位に、フォトクロミック化合物を混合したシールを貼付したりフォトクロミック化合物を混合したペンティング下地などを塗布したりする。そして、利用者端末１０の表示部１１に、画像を転写する部位を密着させる。表示部１１から紫外線や所定の波長の可視光を照射して、ボディペインティングやフェイスペインティングを行って行う。
【００６７】
また、画像を転写する対象は、爪等に限られるものではなく、固体物であれば、紙やプラスチックなどであってもよい。このような固体物にフォトクロミック化合物を溶解した液を塗布して、転写する画像を、利用者端末１０からの画像に応じた可視光を照射すれば、これらにもデザインを施すことができる。
【００６８】
○  上記実施形態においては、ネイルアートを照射するときに短時間の照射を繰り返すことにより、画像を形成してもよい。これにより、まとまった時間がない場合でもアートの提供を受けることができる。
【００６９】
○  上記実施形態においては、ネイルアート提供システム２０は、利用者端末１０からデータの要求を受けると、プリント処理プログラムを利用者端末１０に送信した。これに代えて、ネイルアート提供システム２０は、利用者端末１０からのデータの要求に対して、転写制御データのみを利用者端末１０に送信してもよい。具体的には、ネイルアート提供システム２０は、例えば、利用者登録を行った場合に、プリント処理プログラム（テンプレート）を利用者端末１０に提供し格納させる。そして、ネイルアート提供システム２０は、利用者端末１０からのデータの要求に対して転写制御データを生成し、これを利用者端末１０に送信する。そして、利用者端末１０は、受信した転写制御データをプリント処理プログラムに組み込んで各種機能を実現させる。この場合、ネイルアートを提供する場合には、転写制御データの送信のみでよいので、通信負荷を軽減することができる。
【００７０】
○  上記実施形態においては、利用者端末１０がデータの要求を行った場合にネイルアート提供システム２０は、プリント処理プログラムを送信した。これに限らず、ネイルアート提供システム２０は、設定された時刻にプリント処理プログラムの提供を行ってもよい。具体的には、利用者が希望するデザインや送信時刻に関するデータを、利用者データ２２０に関連付けて記憶しておく。そして、ネイルアート提供システム２０は、送信時刻になると、プリント処理プログラムデータを生成して、利用者データ２２０の携帯識別子によって特定される利用者端末１０に送信する。これにより、利用者は効率的にネイルアートを行うことができる。
【００７１】
○  上記実施形態においては、ネイルアート提供システム２０は、利用者端末１０の機種に合わせて画像の位置や方向などを調整して生成した転写用プログラムを利用者端末１０に送信して、ネイルアートを提供した。ネイルアート提供システム２０は、これに限らず、照射時間や照射量などを、利用者端末１０に合わせて調整してもよい。
【図面の簡単な説明】
【００７２】
【図１】実施形態におけるシステムの概略図。
【図２】利用者データ記憶部に記録されたデータの説明図。
【図３】デザインデータ記憶部に記録されたデータの説明図。
【図４】機種変換データ記憶部に記録されたデータの説明図。
【図５】ネイルアート提供処理における説明のための模式図。
【図６】ネイルアート提供処理における処理手順を説明するための流れ図。
【符号の説明】
【００７３】
Ｎ…携帯電話網、１０…利用者端末、１１…表示部、２１…管理コンピュータ、２３…デザインデータ記憶手段としてのデザインデータ記憶部、２４…機種データ記憶手段としての機種変換データ記憶部
【図１】
2005329121.tif 000003
【図２】
2005329121.tif 000004
【図３】
2005329121.tif 000005
【図４】
2005329121.tif 000006
【図５】
2005329121.tif 000007
【図６】
2005329121.tif 000008